(57)【要約】【課題】簡単な操作で引き残しを設けることができる開閉体連動装置を提供する。【解決手段】３枚の扉体３，４、５のうちの中間扉体４に取り付けられ、開閉方向の両端部で水平方向に回転可能な一対のプーリー４０と、一対のプーリー４０間に巻き掛けられる伝動体５０と、巻き掛けられた伝動体５０の前側および後側にそれぞれ連結され、前側扉体３および後側扉体５がそれぞれ取り付けられる取付部６１、６２を有する２つの伝達体６０と、を備え、伝達体６０の取付部６１、６２は、３枚の扉体３、４、５が前後方向に重なって開くように位置決めされた扉体取付部６１と、扉体取付部６１よりも開閉方向の外側に設けられた引き残し設定用取付部６２とで構成されている。【選択図】図５
2018021421.tif 000002
【特許請求の範囲】
【請求項１】
前後方向に並べられた３枚の前側扉体、中間扉体、後側扉体を連動させて開閉するための開閉体連動装置であって、
前記３枚の扉体のうちの中間扉体に取り付けられ、開閉方向の両端部で水平方向に回転可能な一対のプーリーと、
前記一対のプーリー間に巻き掛けられる伝動体と、
巻き掛けられた前記伝動体の前側および後側にそれぞれ連結され、前記前側扉体および前記後側扉体がそれぞれ取り付けられる取付部を有する２つの伝達体と、を備え、
前記伝達体の前記取付部は、
前記３枚の扉体が前後方向に重なって開くように位置決めされた扉体取付部と、
前記扉体取付部よりも開閉方向の外側に設けられた引き残し設定用取付部と、
で構成されていることを特徴とする開閉体連動装置。
【請求項２】
前後方向に並べられた３枚の前側扉体、中間扉体、後側扉体を連動させて開閉するための開閉体連動装置であって、
前記３枚の扉体のうちの中間扉体に取り付けられ、開閉方向の両端部で水平方向に回転可能な一対のプーリーと、
前記一対のプーリー間に巻き掛けられる伝動体と、
巻き掛けられた前記伝動体の前側および後側にそれぞれ連結され、前記前側扉体および前記後側扉体がそれぞれ取り付けられる取付部を有する２つの伝達体と、を備え、
前記伝達体の前記取付部は、
前側の前記伝達体および後側の前記伝達体の両方に、前記３枚の扉体が前後方向に重なって開くように位置決めされた扉体取付部と、
前側の前記伝達体または後側の前記伝達体のいずれか一方に、前記扉体取付部よりも開閉方向の外側に設けられた引き残し設定用取付部と、
で構成されていることを特徴とする開閉体連動装置。
【請求項３】
前記扉体取付部または前記引き残し設定用取付部は、前記伝達体を貫通する穴または切欠きであり、前記扉体から突出するピボット軸を前記穴または前記切欠きに挿通させて取り付けられるようになっており、
前記ピボット軸にフランジ部を設け、前記扉体取付部および前記引き残し設定用取付部に前記フランジ部が入り込むフランジ収容溝を設けたことを特徴とする請求項１または請求項２に記載の開閉体連動装置。
【請求項４】
前記穴または切欠きの径を前記ピボット軸の径よりも大きく形成し、前記ピボット軸が前記穴または前記切欠きと接する位置に緩衝部材を介在させたことを特徴とする請求項３に記載の開閉体連動装置。
【請求項５】
前後方向に並べられた３枚の前側扉体、中間扉体、後側扉体のうちの中間扉体に取り付けられ、開閉方向の両端部で水平方向に回転可能な一対のプーリーと、
前記一対のプーリー間に巻き掛けられる伝動体と、
巻き掛けられた前記伝動体の前側および後側にそれぞれ連結され、前記前側扉体および前記後側扉体がそれぞれ取り付けられる取付部を有する２つの伝達体と、を備え、
前記伝達体の前記取付部は、前記３枚の扉体が前後方向に重なって開くように位置決めされた扉体取付部と、前記扉体取付部よりも開閉方向の外側に設けられた引き残し設定用取付部とで構成される開閉体連動装置が用いられ、
前記前側扉体または前記後側扉体のいずれか一方を前記扉体取付部に取り付け、前記前側扉体または前記後側扉体のいずれか他方を前記扉体取付部または前記引き残し設定用取付部に選択して取り付けることを特徴とする開閉体連動装置の引き残し設定方法。
【発明の詳細な説明】
【技術分野】
【０００１】
本発明は、引戸装置において、３枚の扉体を連動して開閉させるための開閉体連動装置に関する。
【背景技術】
【０００２】
従来、引戸装置に設けられ、利用者側から見て前後方向に並べられた３枚の扉体を連動させて開閉するための開閉体連動装置が知られている。この開閉体連動装置を備えた引戸装置では、３枚の扉体のうちの前側（利用者側）或いは後側の扉体を開く方向へ移動させると、中間の扉体も連動して開く方向へ移動して、３枚の扉体が前後方向に完全に重なるように開くようになる。逆に、前側或いは後側の扉体を閉じる方向へ移動させると、連動して中間の扉体も閉じる方向へ移動して、引戸装置の開口を３枚の扉体で塞ぐ（閉じる）ようになる（例えば、特許文献１参照）。
【０００３】
すなわち、３枚扉の引戸装置は、開閉の手間は２枚扉のものと同等であり、かつ、開いた時の開口面積を２枚扉と比較して大きく確保することができる点で優れている。
【先行技術文献】
【特許文献】
【０００４】
【特許文献１】特開２００５−３３６８８８号公報
【発明の概要】
【発明が解決しようとする課題】
【０００５】
上述した開閉体連動装置を備える引戸装置では、前側或いは後側の扉体を完全に開いた状態まで移動させると、３枚の扉体の開側の側面部が開口部の戸当たりに突き当たるようになる。このとき、扉体の側面部と戸当たりとの間で利用者が指を挟んでしまうおそれがある。
【０００６】
また、３枚のうちの後側の扉体に取手を設けて、この取手を掴んで開閉する場合には、３枚が前後方向に完全に重なるまで開くと、取手を掴んでいる指が中間の扉体で挟まれてしまうおそれがある。さらに、３枚が前後方向に完全に重なるまで開くと、前側に位置する扉体によって取手が隠れてしまうため、引戸を閉じるときに不便である。
【０００７】
これらの問題を解決するために、扉体の側面部と戸当たりとの間、或いは、扉体の前面又は後面にゴム製のストッパーを取り付けて、扉体が完全に開かないようにする（以下、「引き残し」という）方法も知られている。しかしながら、３枚扉で開口面積を広く確保できるにもかかわらず、引き残しを設けることによって開口面積がその分小さくなってしまうため、それを望まないニーズも存在する。また、ストッパーが利用者側から見えてしまうので、デザイン性もよくない。
【０００８】
一方、このストッパーを着脱式にして、引き残しを設けるか否かを利用者側で選択できるようにすることもできるが、利用者側からなるべく目立たない位置に取り付けられるストッパーを着脱する作業は手間がかかり煩わしく、部品点数も増えてしまう。さらには、取り外したストッパーが紛失しないように管理しておく手間も煩わしい。
【０００９】
さらには、引き残しを設けるために、前側または後側の扉体のいずれかを大きいサイズのものに変えて製作することも行われているが、扉体の種類が増えるとともに、施工時の管理が煩わしくなってしまう。
【００１０】
本発明は、上述した事情を鑑みてなされたものであり、その目的は、簡単な操作で引き残しを設けることができる開閉体連動装置を提供するためのものである。
【課題を解決するための手段】
【００１１】
上述課題を解決するため、本発明の開閉体連動装置は、前後方向に並べられた３枚の前側扉体、中間扉体、後側扉体を連動させて開閉するためのものであり、前記３枚の扉体のうちの中間扉体に取り付けられ、開閉方向の両端部で水平方向に回転可能な一対のプーリーと、前記一対のプーリー間に巻き掛けられる伝動体と、巻き掛けられた前記伝動体の前側および後側にそれぞれ連結され、前記前側扉体および前記後側扉体がそれぞれ取り付けられる取付部を有する２つの伝達体と、を備え、前記伝達体の前記取付部は、前記３枚の扉体が前後方向に重なって開くように位置決めされた扉体取付部と、前記扉体取付部よりも開閉方向の外側に設けられた引き残し設定用取付部と、で構成されていることを特徴とする。
【００１２】
また、本発明の開閉体連動装置は、前後方向に並べられた３枚の前側扉体、中間扉体、後側扉体を連動させて開閉するためのものであり、前記３枚の扉体のうちの中間扉体に取り付けられ、開閉方向の両端部で水平方向に回転可能な一対のプーリーと、前記一対のプーリー間に巻き掛けられる伝動体と、巻き掛けられた前記伝動体の前側および後側にそれぞれ連結され、前記前側扉体および前記後側扉体がそれぞれ取り付けられる取付部を有する２つの伝達体と、を備え、前記伝達体の前記取付部は、前側の前記伝達体および後側の前記伝達体の両方に、前記３枚の扉体が前後方向に重なって開くように位置決めされた扉体取付部と、前側の前記伝達体または後側の前記伝達体のいずれか一方に、前記扉体取付部よりも開閉方向の外側に設けられた引き残し設定用取付部と、で構成されていることを特徴とする。
【００１３】
また、前記扉体取付部または前記引き残し設定用取付部は、前記伝達体を貫通する穴または切欠きであり、前記扉体から突出するピボット軸を前記穴または前記切欠きに挿通させて取り付けられるようになっており、前記ピボット軸にフランジ部を設け、前記扉体取付部および前記引き残し設定用取付部に前記フランジ部が入り込むフランジ収容溝を設けることもできる。
【００１４】
さらに、前記穴または切欠きの径を前記ピボット軸の径よりも大きく形成し、前記ピボット軸が前記穴または前記切欠きと接する位置に緩衝部材を介在させてもよい。
【００１５】
一方、本発明の開閉体連動装置の引き残し設定方法は、前後方向に並べられた３枚の前側扉体、中間扉体、後側扉体のうちの中間扉体に取り付けられ、開閉方向の両端部で水平方向に回転可能な一対のプーリーと、前記一対のプーリー間に巻き掛けられる伝動体と、巻き掛けられた前記伝動体の前側および後側にそれぞれ連結され、前記前側扉体および前記後側扉体がそれぞれ取り付けられる取付部を有する２つの伝達体と、を備え、前記伝達体の前記取付部は、前記３枚の扉体が前後方向に重なって開くように位置決めされた扉体取付部と、前記扉体取付部よりも開閉方向の外側に設けられた引き残し設定用取付部とで構成される開閉体連動装置が用いられ、前記前側扉体または前記後側扉体のいずれか一方を前記扉体取付部に取り付け、前記前側扉体または前記後側扉体のいずれか他方を前記扉体取付部または前記引き残し設定用取付部に選択して取り付けることを特徴とする。
【発明の効果】
【００１６】
本発明に係る開閉体連動装置では、３枚の扉体が前後方向に重なって開くように位置決めされた扉体取付部と、扉体取付部よりも開閉方向の外側に設けられた引き残し設定用取付部とを備えているので、前側扉体或いは後側扉体のいずれか一方を引き残し設定用取付部に付け替えることで、引き残しを設けることができる。そのため、引き残しを設けるためのストッパーを設ける必要がなく、部品点数を増やさない。また、外側からストッパーが見えないため、意匠性を損なわない。
【００１７】
また、前側扉体または後側扉体のいずれか一方を扉体取付部に取り付け、前側扉体または後側扉体のいずれか他方を扉体取付部または引き残し設定用取付部に選択して取り付けるだけの簡単な作業で引き残しの有り無しを設定できるので、利用者が簡単に設定を行うことができる。
【図面の簡単な説明】
【００１８】
【図１】本発明の実施の形態に係る開閉体連動装置が取り付けられたキャビネットであって、３枚の扉体が閉じた状態を示す正面図である。
【図２】図１の扉体を開いた状態であって、（Ａ）は引き残しがない状態、（Ｂ）は引き残しがある状態を示す正面図である。
【図３】図２（Ｂ）の扉体を右側に開いた状態を示す正面図である。
【図４】図２（Ｂ）の開閉体連動装置を戸開側から拡大して見た側面図である。
【図５】開閉体連動装置が組み付けられた状態を示す斜視図である。
【図６】図５の分解斜視図である。
【図７】開閉体連動装置を右斜め上側から見た斜視図である。
【図８】図７を右斜め下側から見た斜視図である。
【図９】伝達体を右斜め上側から見た斜視図である。
【図１０】図９を右斜め下側から見た斜視図である。
【図１１】切替用ピボット軸を備えた（Ａ）は正面図、（Ｂ）は（Ａ）の右側面図である。
【図１２】切替用ピボット軸の斜視図である。
【図１３】開閉体連動装置を引き残しなしに設定した場合の動作説明図であって、（Ａ）は扉体を閉じた状態、（Ｂ）は扉体を開いた状態を示す。
【図１４】開閉体連動装置を引き残しありに設定した場合の動作説明図であって、（Ａ）は扉体を閉じた状態、（Ｂ）は扉体を開いた状態を示す。
【発明を実施するための最良の形態】
【００１９】
以下、本発明の実施の形態に係る開閉体連動装置１０について、図１〜図１２を用いて詳細に説明する。
図１〜図３は、本発明に係る開閉体連動装置１０を備えた引き戸装置１を正面から見たものである。なお、以下の説明で使用する戸開側とは図１の紙面左側をいい、戸閉側とは紙面右側をいうものとする。また、前側とは、利用者側であって、図１の紙面手前側（図６の紙面左側）をいい、後側とは、図１の紙面奥側（図６の紙面右側）をいうものとする。
【００２０】
また、本実施例で示す引戸装置１は、３枚の扉体を図１の紙面左側（戸開側）および紙面右側（戸閉側）の両方に開閉することができるものである。図３、図１３、図１４の引戸装置１では、戸閉側および戸開側の表記が、扉体を実際に開く（閉じる）方向と逆になっているが、本実施形態で統一した名称の方向を用いて説明を行うために、図１で定義する戸開側、戸閉側の表記を用いる。
【００２１】
引戸装置１は、例えば、事務室などで使用されるキャビネットに用いられるものであり、筐体２の開口部を３枚の扉体３、４、５（前側扉体を符号３、中間扉体を符号４、後側扉体を符号５で示す）で開閉するものである。この引戸装置１は、図１〜図４に示すように、扉体３、４、５の上側に、開閉体連動装置１０が設けられている。
【００２２】
開閉体連動装置１０は、図５〜図８に示すように、開閉方向へ長尺に形成された本体部２０と、この本体部２０の前側および後側にそれぞれ設けられ、本体部２０に沿って開閉方向に移動可能な伝達体６０、６０とを備えている。
【００２３】
本体部２０には、開閉方向における両端部に、一対のプーリー４０および当接片部４１がそれぞれ設けられている。
【００２４】
これらの一対のプーリー４０は、回転軸４２を中心に水平方向に回転可能に取り付けられている。このプーリー４０には、無端状ワイヤー５０が巻き掛けられている。この無端状ワイヤー５０には、球状のストッパー５１が２カ所に設けられている。より詳細には、このストッパー５１は、無端状ワイヤー５０がプーリー４０に巻き掛けられた状態で、開閉方向に延びるように張られた無端状ワイヤー５０の前側および後側にそれぞれ位置するようになる。このストッパー５１は、詳細は後述する伝達体６０の取付凹部６３に嵌め込まれる。これにより、無端状ワイヤー５０と伝達体６０とが連結され、プーリー４０を介して移動する無端状ワイヤー５０に伴って伝達体６０が開閉方向に移動するようになる。また、前側の伝達体６０と後側の伝達体６０とは、互いに逆向きに同速度で移動するようになる。
【００２５】
当接片部４１は、移動する伝達体６０と当接し、伝達体６０がこの当接片部４１を超えて移動しないように（伝達体６０とプーリー４０とが突き当たらないように）している。
【００２６】
また、本体部２０の前側および後側の両端部には、本体部２０を上側に折り曲げた係合片部２２、２２が形成されている。この係合片部２２は、本体部２０の開閉方向の全長に亘って設けられている。この係合片部２２には、詳細は後述する伝達体６０の係合溝部６４が組み付けられる。すなわち、係合片部２２は、伝達体６０を開閉方向に自在に案内するためのガイドレールの機能を果たしている。
【００２７】
さらに、本体部２０には、上下方向に貫通する２つの挿通穴２１、２１が形成されている。この挿通穴２１、２１は、中間扉体４の上部に組み付けられた中間扉用ピボット軸８０（図６参照）の位置に対応して設けられている。また、本体部２０には、挿通穴２１、２１の上部に取付ブロック３０がねじ３１を介して取り付けられている。
【００２８】
中間扉体４の中間扉用ピボット軸８０は、下側から挿通穴２１、２１に挿通され、取付ブロック３０に係合する態様で取り付けられる。一方、取付ブロック３０は、図４に示すように、筐体２の取付凹部２ｄ内に埋め込まれたガイドレールＲ２に取り付けられる。この取付ブロック３０は、ガイドレールＲ２に沿って開閉方向へスライド移動できるようになっている。これにより、中間扉体４は、本体部２０に取り付けられ、かつ、本体部２０および中間扉体４は、ガイドレールＲ２に沿って開閉方向へ移動することができるようになる。
【００２９】
図７は、本発明の主要部である伝達体６０が組み付けられた開閉体連動装置１０を斜め上側から見た斜視図である。また、図８は、開閉体連動装置１０を斜め下側から見た斜視図である。さらに、図９は、伝達体６０を斜め上側から見た斜視図、図１０は、伝達体６０を斜め下側から見た斜視図を示している。
【００３０】
なお、本体部２０に対して前側および後側に組み付けられた伝達体６０は、同一のものを１８０度回転させて使用したものである。そのため、同一の符号を付すと共に、以下の説明では、後側に位置する伝達体６０についてのみ説明し、前側の伝達体６０の説明を省略する。
【００３１】
伝達体６０は、図９および図１０に示すように、樹脂材料で一体に形成されたものであり、開閉方向に長尺な矩形形状になっている。また、伝達体６０は、開閉方向への移動がスムーズに行えるように、肉盗み６５を適宜設けて軽量化を図っている。
【００３２】
伝達体６０の戸閉側の前側には、上述した取付凹部６３、および係合溝部６４が形成されている。この取付凹部６３の取付溝６３ａには、無端状ワイヤー５０のストッパー５１が組み付けられる。
【００３３】
また、伝達体６０中央部よりも若干戸開側に寄った位置には、扉体取付穴６１が上下方向に貫通して設けられている。また、この扉体取付穴６１から開閉方向の外側（戸開側。前側の伝達体６０では、戸閉側）には、扉体取付穴６１と同じ形状の引き残し設定用取付穴６２が設けられている。この扉体取付穴６１と引き残し設定用取付穴６２との間隔は、引き残しＬの長さと一致するようになる。
【００３４】
この扉体取付穴６１および引き残し設定用取付穴６２には、図１０に示すように、伝達体６０の下面から上側に向かって窪ませたフランジ収容溝６１ａ、６２ａがそれぞれ設けられている。このフランジ収容溝６１ａ、６２ａには、詳細は後述する切替用ピボット軸９０のフランジ部９３ａが入り込むようにして取り付けられる。
【００３５】
また、扉体取付穴６１の開閉方向における位置は、３枚の扉体３、４、５が取り付けられた状態で、この３枚の扉体３、４、５が前後方向に完全に重なって開く（図２（Ａ）参照）ように位置決めされている。
【００３６】
扉体取付穴６１と引き残し設定用取付穴６２との間には、前後方向に延在し、かつ、上側に向けて突出する当接部６６が設けられている。この当接部６６は、詳細は後述するガイドレールＲ１（図４参照）の下端部と当接するようになる。
【００３７】
これらの扉体取付穴６１、または、引き残し設定用取付穴６２のいずれかには、後側扉体５の切替用ピボット軸９０が挿通される。この切替用ピボット軸９０は、図４〜図６に示すように、後側扉体５の戸閉側に取り付けられており、扉体取付穴６１または引き残し設定用取付穴６２のいずれかに挿通された後に、図４に示すように、筐体２の取付凹部２ｃ内に埋め込まれたガイドレールＲ１に取り付けられる。この切替用ピボット軸９０がガイドレールＲ１に取り付けられた状態では、ピボット軸９０はガイドレールＲ２に沿って開閉方向へ自在に移動できるようになっている。
【００３８】
なお、後側扉体５の戸開側には、図６に示すように、後側扉体５を懸架するピボット軸７０が設けられている。このピボット軸７０は、いわゆる従来のピボット軸であり、ガイドレールＲ１に直接取り付けられて、ガイドレールＲ２に沿って開閉方向へ自在に移動するようになっている。
【００３９】
また、前側扉体３の切替用ピボット軸９０およびピボット軸７０については、中間扉体４を挟んで戸開側と戸閉側で対称に配置されている。すなわち、後側扉体５の場合と同様に、前側扉体３の切替用ピボット軸９０は、前側の伝達体６０の扉体取付穴６１または引き残し設定用取付穴６２のいずれかに挿通された後に、ガイドレールＲ１に取り付けられる。
【００４０】
伝達体６０は、従来の伝達体と比較して、引き残し設定用取付穴６２を設けた分だけ開閉方向に延びる長尺な形状になっている。そのため、取付凹部６３および係合溝部６４のみで本体部２０側に支持されている伝達体６０の先端側が下側に傾いてしまい、水平な姿勢を保つことが困難になる。そのため、扉体取付穴６１、引き残し設定用取付穴６２、および、切替用ピボット軸９０には、この姿勢を保つための工夫がなされている。
【００４１】
図１１（Ａ）は、切替用ピボット軸９０の正面図、図１１（Ｂ）はその右側面図である。また、図１２は、切替用ピボット軸９０を斜め上側から見た斜視図である。
【００４２】
切替用ピボット軸９０は、扉体側に取り付けられる扉体取付部９１と、この扉体取付部９１から上側に延びる軸体９２と、この軸体９２の上部に位置する嵌合部９３とで構成されている。
【００４３】
扉体取付部９１および軸体９２は、ピボット軸７０と同じ構造である。嵌合部９３には、図１２に示すように、軸体９２よりも大きな径を有するフランジ部９３ａが形成されている。このフランジ部９３ａは、伝達体６０の上述したフランジ収容溝６１ａ（６２ａ）内に入り込み、フランジ部９３ａの上面がフランジ収容溝６１ａの下面と面で接するように形成されている。
【００４４】
また、フランジ部９３ａが上側に持ち上げた状態で、伝達体６０の当接部６６がガイドレールＲ１（図４参照）の下側に当たり、上下方向の位置を規制するようになる。この当接部６６は、ガイドレールＲ１の下側と摺動しながら開閉方向へ移動するようになる。そのため、開閉方向の全長に亘って、伝達体６０がほぼ水平な姿勢を保つようになる。
【００４５】
一方、伝達体６０が傾いている状態では、引き残し設定用取付穴６２に嵌合部９３を挿通させるときにそれぞれの中心が一致し難い。そのため、引き残し設定用取付穴６２の径をピボット軸９０の嵌合部９３の径よりも大きくして、挿通し易いようにしている。しかしながら、引き残し設定用取付穴６２の内側面と嵌合部９３の外周面との間に隙間を作ると、扉体の開閉時に引き残し設定用取付穴６２と嵌合部９３との当接音が生じてしまう。そのため、嵌合部９３にＯリング（緩衝部材）９３ｂを設け、静音性を高めている。
【００４６】
次に、本発明の実施の形態に係る開閉体連動装置１０の作用・動作について主に図１３および図１４を用いて説明する。
【００４７】
この開閉体連動装置１０は、図１の状態から前側扉体３を開方向へ移動させると、中間の扉体４も一緒に連動して開方向へ移動し、図２（Ａ）および図１３に示すように、３枚の扉体３、４、５の戸開側の側面部３ａ、４ａ、５ａが戸開側の戸当たり２ａに当接するまで開かれる。この開いた状態では、３枚の扉体３、４、５が前後に重なり、戸開時開口部Ｍ１が確保されるようになる。
【００４８】
このように前後に重なるように設定するには、前側扉体３および後側扉体５のそれぞれの切替用ピボット軸９０を、前側および後側の伝達体６０の扉体取付穴６１にそれぞれ挿通させる。
【００４９】
一方、引き残しＬを設定したい場合には、後側扉体５の切替用ピボット軸９０を扉体取付穴６１から一旦取り外し、図１４（Ａ）に示すように、切替用ピボット軸９０を引き残し設定用取付穴６２に挿通させて取り付ける。これにより、図１４（Ｂ）および図３に示すように、後側扉体５には、扉体取付穴６１と引き残し設定用取付穴６２との間隔の分だけ引き残しＬが発生し、戸開時開口部Ｍ２が確保されるようになる。これにより、後側扉体５に取手を設けている場合などに、後側扉体５を開いたときに利用者が取手と中間扉体４との間で指を挟むことがなくなる。
また、図２（Ｂ）に示すように、前側扉体３に取手を設けている場合などには、前側扉体３を開いたときに前側扉体３および中間扉体４の戸開側の側面部３ａ、４ａが戸当たり２ａに突き当たらないようになる。そのため、利用者が側面部３ａ、４ａと戸当たり２ａとの間で指を挟むことがなくなる。
【００５０】
なお、上述した構成とは逆に、後側扉体５のピボット軸９０を後側の伝達体６０の扉体取付穴６１に挿入したまま、前側扉体３のピボット軸９０を前側の伝達体６０の引き残し設定用取付穴６２に挿通させるようにすれば、前側扉体３に引き残しＬを設定することもできる。人が出入りするような引戸では、利用者は前側と後側の両方から扉体を開くようになるので、それぞれ前側扉体３と後側扉体５のいずれにも引き残しＬを設定できるようにしておくことは有用である。
【００５１】
本発明の実施の形態に係る開閉体連動装置１０によれば、３枚の扉体３、４、５のうちの中間扉体４に取り付けられ、開閉方向の両端部で水平方向に回転可能な一対のプーリー４０と、一対のプーリー４０間に巻き掛けられる無端状ワイヤー５０と、巻き掛けられた無端状ワイヤー５０の前側および後側にそれぞれ連結され、前側扉体３および後側扉体５がそれぞれ取り付けられる取付穴を有する２つの伝達体６０とを備え、伝達体６０の取付穴は、３枚の扉体３、４、５が前後方向に重なって開くように位置決めされた扉体取付穴６１と、扉体取付穴６１よりも開閉方向の外側に設けられた引き残し設定用取付穴６２とで構成されているので、前側扉体３或いは後側扉体５のいずれか一方を引き残し設定用取付穴６２に付け替えることで、引き残しを設けることができる。そのため、従来技術のように引き残しを設けるためのストッパーを設ける必要がなく、部品点数を増やさない。また、外側からストッパーが見えないため、意匠性を損なわない。
【００５２】
また、扉体３、５から突出するピボット軸９０を扉体取付穴６１または引き残し設定用取付穴６２に挿通させて取り付けられるようになっており、ピボット軸９０にフランジ部９３ａを設け、扉体取付穴６１または引き残し設定用取付穴６２にフランジ部９３ａが入り込むフランジ収容溝６２ａ、６２ｂを設けているので、扉体３、５を取り付けた状態で、フランジ部９３ａが伝達体６０を下側から持ち上げるようになる。そのため、伝達体６０が下側に傾くのを防止し、伝達体６０がほぼ水平な姿勢を保つようになる。
【００５３】
さらに、扉体取付穴６１または引き残し設定用取付穴６２の径をピボット軸９０の径よりも大きく形成し、ピボット軸９０が扉体取付穴６１または引き残し設定用取付穴６２と接する位置に緩衝部材であるＯリングを介在させているので、扉体３、５の開閉時に扉体取付穴６１或いは引き残し設定用取付穴６２と嵌合部９３との当接音を解消することができる。
【００５４】
また、本発明の実施の形態に係る開閉体連動装置１０の引き残し設定方法によれば、前側扉体３または後側扉体５のいずれか一方を扉体取付穴６１に取り付け、前側扉体３または後側扉体５のいずれか他方を扉体取付穴６１または引き残し設定用取付穴６２に選択して取り付けるだけの簡単な作業で引き残しＬの有り無しを設定できるので、利用者が簡単に設定を行うことができる。
【００５５】
以上、本発明の実施の形態に係る開閉体連動装置１０について述べたが、本発明は既述の実施形態に限定されるものではなく、本発明の技術思想に基づいて各種の変形および変更が可能である。
【００５６】
例えば、本実施の形態では、開閉体連動装置１０を用いた引戸装置１の一例として、事務所などで使用されるキャビネットに用いたもので説明しているが、３枚の扉体を用いるものであれば他の用途にも使用することができる。例えば、人が出入りするドアや、収納庫などにも使用することができる。
【００５７】
また、伝達体６０の扉体取付穴６１および引き残し設定用取付穴６２は、上下方向に貫通する穴としているが、これに限定されない。例えば、伝達体６０の前側または後側の側部から中央に向けて切り込みを入れた切欠きであってもよい。すなわち、扉体を開閉方向へ移動させたときに、扉体３、５と伝達体６０とが一緒に開閉方向へ移動するように取り付けられるものであればよい。
【００５８】
さらに、無端状ワイヤー５０は、プーリーに巻き掛けられて動力を伝達するものであればよく、例えば、ゴムベルト、Ｖベルトのような伝動体であってもよい。
【００５９】
また、本実施の形態では、前側および後側に設ける伝達体６０に同じ構造のものを使用して、どちら側でも引き残しＬを設定できるようにしているが、事務室で使用するキャビネットなどでは利用者は前側でしか扉体を開閉しないので、前側または後側のいずれか一方だけで引き残しＬを設定できるようにしてもよい。例えば、後側扉体５のみに引き残しＬを設定できればよい場合には、前側の伝達体には扉体取付穴６１のみを設け、後側の伝達体６０には扉体取付穴６１および引き残し設定用取付穴６２の両方を設けるようにし、後側扉体５のみをいずれかの取付穴６１、６２に選択して取り付けられるようにする。なお、前側扉体３のみに引き残しＬを設定したい場合には、その逆の構成にすればよい。
【符号の説明】
【００６０】
１  引戸装置
２  筐体
２ａ、２ｂ  戸当たり
２ｃ、２ｄ  取付凹部
３  前側扉体
４  中間扉体
５  後側扉体
３ａ、４ａ、５ａ  戸開側の側面部
１０  開閉体連動装置
２０  本体部
２１  挿通穴
２２  係合片部
３０  取付ブロック
３１  取付ねじ
４０  プーリー
４１  当接片部
４２  回転軸
５０  無端状ワイヤー（伝動体）
５１  ストッパー
６０  伝達体
６１  扉体取付穴（扉体取付部）
６１ａ  フランジ収容溝
６２  引き残し設定用取付穴（引き残し設定用取付部）
６２ａ  フランジ収容溝
６３  取付凹部
６３ａ  取付溝
６４  係合溝部
６５  肉盗み
６６  当接部
７０  ピボット軸
８０  中間扉用ピボット軸
９０  切替用ピボット軸
９１  扉体取付部
９２  軸体
９３  嵌合部
９３ａ  フランジ部
９３ｂ  Ｏリング（緩衝部材）
Ｌ  引き残し
Ｍ１、Ｍ２  戸開時開口部
Ｒ１、Ｒ２  ガイドレール
【図１】
2018021421.tif 000003
【図２】
2018021421.tif 000004
【図３】
2018021421.tif 000005
【図４】
2018021421.tif 000006
【図５】
2018021421.tif 000007
【図６】
2018021421.tif 000008
【図７】
2018021421.tif 000009
【図８】
2018021421.tif 000010
【図９】
2018021421.tif 000011
【図１０】
2018021421.tif 000012
【図１１】
2018021421.tif 000013
【図１２】
2018021421.tif 000014
【図１３】
2018021421.tif 000015
【図１４】
2018021421.tif 000016